(57)【要約】【課題】すのこベッドフレーム用ブラケットを提供する。【解決手段】より低コストでの製造を可能とする、できる限り安価なすのこベッドフレームを提供するために、従来のブラケットを改良することを課題とする。解決手段として、すのこベッドフレーム用ブラケットは、相互に対して平行に延び、相互にある距離だけ離間している２本のフレームレールの一方に設けられた穴に挿入された時に緊密に嵌合するように構成された、プラグと呼ばれる突出要素を有する。すのこベッドフレームは、２本のフレームレールと、フレームレールを横切るように延びる複数のベッドすのこを有し、ブラケットがベッドすのこの各端に設けられ、ブラケットは一方の面でベッドすのこに、他方の面でフレームレールに固定可能である。【選択図】図１
2014140743.tif 000002
【特許請求の範囲】
【請求項１】
すのこベッドフレーム用ブラケット（１）であって、前記ブラケット（１）は第一の接続手段を有し、これによって前記ブラケットを、相互に平行に延び離間している２本のフレームレールの一方に固定することができ、また前記ブラケット（１）は第二の接続手段を有し、これによって前記ブラケット（１）を、前記フレームレールを横切るように延びるベッドすのこに固定することができる、ブラケットにおいて、
前記ブラケット（１）が、前記フレームレールに設けられた穴に挿入された時に緊密に嵌合するように構成された、プラグ（３）と呼ばれる突出要素を有することを特徴とするブラケット（１）。
【請求項２】
前記ブラケット（１）が水平に向けられたベースプレート（２）を有し、前記プラグ（３）が長円形の形状を有し、その形状の長手方向軸が前記ベースプレート（２）に対して平行に延びることを特徴とする、請求項１に記載のブラケット。
【請求項３】
前記プラグ（３）がコネクタシャンク（５）によって前記ベースプレート（２）に接続され、前記コネクタシャンク（５）の断面が前記プラグ（３）の断面より狭くなっており、前記コネクタシャンク（５）によって前記ベースプレート（２）と前記プラグ（３）との間に逃げ溝が作られることを特徴とする、請求項２に記載のブラケット。
【請求項４】
前記ブラケット（１）が水平に向けられたベースプレート（２）を有し、前記プラグ（３）が長円形の形状を有し、その形状の長手方向軸が前記ベースプレート（２）を横切る方向に延びることを特徴とする、請求項１に記載のブラケット。
【請求項５】
長円形の２本のプラグ（３）が設けられ、それらの長手方向軸が相互に対して平行に延びることを特徴とする、請求項１〜４のいずれか一項に記載のブラケット。
【請求項６】
前記ブラケット（１）が、ベッドすのこを受けるため、上方に延びるすのこ組立ピンを有することを特徴とする、請求項１〜５のいずれか一項に記載のブラケット。
【請求項７】
相互に離間した２本のすのこ組立ピンが設けられていることを特徴とする、請求項６に記載のブラケット。
【請求項８】
相互に対して平行に延び、相互にある距離だけ離間した２本のフレームレールを備え、前記フレームレールを横切るように延びる複数のベッドすのこを有するすのこベッドフレームであって、
ベッドすのこの各端にブラケット（１）が設けられ、前記ブラケットを一方の面で前記ベッドすのこに、他方の面でフレームレールに固定することができ、前記ブラケットが請求項１〜７のいずれか一項に従って構成され、前記フレームレールに設けられた穴の１つに固定される、プラグ（３）と呼ばれる突出要素を有する、すのこベッドフレーム。
【発明の詳細な説明】
【技術分野】
【０００１】
本発明は、請求項１に記載の、すのこベッドフレーム用ブラケットに関する。
【背景技術】
【０００２】
すのこをフレームに固定してすのこベッドフレームを作製するためのブラケットが知られている。このようなベッドフレームの最も単純な構成は、２本の平行なサイドレールまたはボード（以下、単に「フレームレール」と呼ぶ）のみを有するものであり、これらが相互に、フレームレールを横断するように延びるベッドすのこによって接続される。２枚のまた別の端部用フレームボードを用いて、閉じた長方形のフレームを形成してもよい。ベッドすのこは負荷を受けて湾曲可能であり、その結果、ベッドすのこの両端とフレームレールが相対的に移動する。ブラケットはフレームとスラットの間の湾曲可能な中間要素の役割を果たす。すなわち、これらは上記のような相対的移動に適応し、それと同時に、ベッドすのこをフレームに保持する。
【０００３】
従来のすのこベッドフレームのフレームレールはピンまたはだぼを有し、従来のブラケットがそこに押し嵌められる。各ブラケットはリテーナキャップを形成する。ベッドすのこがキャップの中に挿入されて、キャップを保持する役割を果たす。すのこベッドフレームの各々に複数のブラケットが必要であり、多数のブラケットが必要となるため、１つのブラケットの価格がすのこベッドフレームの製造コストに大きな影響を与える。
【発明の概要】
【発明が解決しようとする課題】
【０００４】
本発明の目的は、従来のブラケットを改良し、それをより低コストで製造できるようにすることである。また別の目的は、できるだけ安価なすのこベッドフレームを提供することである。
【課題を解決するための手段】
【０００５】
上記の目的は、特許請求項１の特徴を有するブラケットによって、および請求項８に記載のすのこベッドフレームによって達成される。
【０００６】
本発明は、ベッドフレームのフレームレールに設けられた凹部と協働する、いわゆるプラグをブラケット上に設けることを提案する。凹部とプラグが協働して、ブラケットとフレームを緊密に接続する。このブラケットには３つの利点がある。
【０００７】
本発明に従ってブラケットを構成することにより、ブラケットの作製に必要な材料の量が実質的に低減され、これは後にベッドフレーム上のピンの周囲に押し嵌められるタイプのスリーブをブラケットに設けることが不要となるからである。プラグの形成に必要な材料のほうが、このようなピンを取り囲むスリーブを作製する場合より少なくて済む。また、本発明によるブラケットの構成によって、構成物の高さを特に低く保つことが可能となる。
【０００８】
材料はベッドフレームの構成においてもまた削減可能であり、これはフレームレールより先まで延びるピンを提供する必要がないからである。むしろ、ブラケットプラグを挿入できる凹部をフレームレールに直接設けてもよい。
【０００９】
最後に、組立ステップを省略でき、これは、本願によらずにフレームレールに別の構成要素として設けられるピンの場合、これをフレームレールに接続してからでないと、ベッドすのこ用のブラケットをそこに押し嵌めることができないからである。
【００１０】
全体として、本発明によるブラケットは最大３つの別々の節約効果を提供し、それにより本発明のブラケットは、ブラケットの製造においてだけでなく、すのこベッドフレーム全体のコストにおいても経済的に有利となる。
【００１１】
有利な態様として、ブラケットは水平に向けられたベースプレートを有していてもよい。方向を示す用語、例えば水平、垂直、上、下等の使用は、ベッドフレームを水平の向きにした時、すなわち、その所期の用途のための一般的な向きにして、例えばマットレスをベッドフレームのすのこ上に置くことができるようにした時のブラケットおよびすのこベッドフレーム全体の向きに基づく。従って、ブラケットのベースプレートは水平面内にある。ブラケットのプラグは、例えば円柱形のだぼのように長い形状であり、ベースプレートに平行なその長手方向軸に沿って延びる。フレームレールは側面に沿って穴を有し、それによりブラケットは、プラグをサイドレールの穴に略水平方向に押し込むことによって、サイドレールに組み付けることができる。
【００１２】
プラグの断面幅全体がベースプレートに直接接触せず、より狭いコネクタブリッジまたはシャンクをプラグに設け、このコネクタシャンクによってベースプレートとプラグの間に逃げ溝が形成されるようにすることが有利となりうる。このようにして、プラグがサイドレールの穴に固定されると、ブラケットは、これをサイドレールから浮き上がらせるような上方への力に対抗して固定されることになる。
【００１３】
そのプラグがベースプレートに対して平行に向けられたブラケットの構成の代替案として、ブラケットが水平に向けられたベースプレートと長い形状のプラグを有するが、このプラグがベースプレートの方向を横切る長手方向に延びることが有利となりうる。このようにして、サイドレールに縦方向に延びる穴を設けてもよく、それによって例えば、そのプラグを備えるブラケットをサイドレールの、それに対応する穴の中に上から嵌めることができる。すると、特に簡単に素早くブラケットをサイドレールに組み付けることができ、これは手作業による組立または完全自動ロボット組立のいずれにおいても有利である。
【００１４】
プラグには突起、例えばこぶ状表面またはリブ等の突起を設けることによって、プラグとサイドレールの穴との上記のような緊密な嵌合を可能にしてもよい。リブはプラグの長手方向に延びていてもよい。あるいは、これらはプラグの長手方向軸の方向を横切るように延びていてもよく、例えば、いわゆる銛状シャンクの場合のようであり、これによって緊密な接続が提供されるが、それに加えて、プラグに対してプラグを穴から押し外す傾向のある方向に作用する力に対する保護力が高まる。
【００１５】
有利な態様として、２本の長いプラグをブラケットに設けてもよく、このプラグの長手方向軸は相互に平行に延びる。平行な長手方向軸によって、ブラケット上の２本のプラグをフレーム上の対応する２つの穴に容易に同時に挿入することができる。２本のプラグをある距離だけ離して配置することにより、ブラケットが歪むことはありえず、それゆえ、すのこがブラケットに確実に取り付けられる。
【００１６】
有利な態様として、ベッドすのこは、スラットを所定の位置に保持するキャップにすのこの端を挿入する代わりに、ブラケットから上方に延びる組立ピンでブラケットに取り付けられる。ベッドすのこは凹部、有利な態様では長手方向のスロットを有し、これによって、ベッドすのことブランケットの間のすのこの長手方向への相対的移動が発生しても問題は生じず、その結果、ベッドすのこがブラケットに沿って安全に案内され、ブラケットによって保持される。ブラケットの、これに対応する組立ピンは、きのこ型のような断面を有し、それによってベッドすのこを組立ピンにスナップ式またはボタン式に嵌めることができ、それゆえ、ベッドすのこに作用する上方への力に対してしっかりと固定される。
【００１７】
有利な態様として、相互にある距離だけ離間した２本の組立ピンをブラケットに設置することにより、ベッドすのこを特に確実に保持することができる。
【００１８】
本発明の実施形態の例を、純粋に概略的な図面に基づいて説明する。
【図面の簡単な説明】
【００１９】
【図１】本発明によるブラケットの第一の実施形態の上面斜視図である。
【図２】本発明によるブラケットの第二の実施形態の底面斜視図である。
【図３】図２のブラケットの側面図である。
【発明を実施するための形態】
【００２０】
図面は、ベッドすのこをすのこベッドフレームのフレームレールに固定するために使用される、本発明によるブラケット１の２つの実施形態を示す。ブラケット１のどちらの実施形態も、すのこベッドフレームがその所期の使用のための向きにある時に水平となるベースプレート２を有する。２本のプラグ３がベースプレート２の下に延びる。プラグ３は、基本的に円柱形のだぼである。長手方向のリブ４がプラグ３に設けられ、これによって、プラグ３がフレームレールの、それに対応する凹部に挿入されると、ブラケット１と緊密な締まり嵌めの状態となる。
【００２１】
図１に示されるブラケット１の第一の実施形態において、プラグ３は下方に、すなわちベースプレート２の表面に対して垂直に延びる。図２と３に示される第二の実施形態では、プラグ３はベースプレート２の表面に対して平行に延びる。この実施形態のプラグ３の断面は完全に丸型ではなく、むしろ、接続ウェブまたはブリッジ５によってベースプレート２に接続される、扁平部分を持たせたオメガのような形状の断面を有する。その結果、接続ブリッジ５の両側のベースプレート２とプラグ３の間に逃げ溝ができ、それによってこのブラケット１は特に確実にすのこベッドフレームのフレームに固定され、ブラケット１に加わる可能性のある上方への力に対抗することができる。
【００２２】
２本のすのこ組立ピン６が、ブラケット１の各実施形態のベースプレート２に設けられる。これらのすのこ組立ピン６は、ピン台座７から上方に延び、幅狭のシャンク８と幅広の頭部９によって形成されるＴ字形の断面を有する。それに対応するベッドすのこは平行な２つのスロットを有し、これらはシャンク８よりわずかに広く、頭部９より狭い。ベッドすのこは、ブラケット１の２本のすのこ組立ピン６にスナップ式またはボタン式に嵌め付けられ、それによってこれはピン台座７に載るが、ベッドすのこの端はベースプレート２に直接載らない。これは、ベッドすのこのばね作用によってベッドすのことブラケット１の間で相対的移動が起こった時に、ベースプレート２が、ベッドすのこがベースプレートと擦れることによって生じるであろう摩耗から保護されるように行われる。
【符号の説明】
【００２３】
１  ブラケット
２  ベースプレート
３  プラグ
４  リブ
５  接続ブリッジ
６  組立ピン
７  ピン台座
８  シャンク
９  頭部
【図１】
2014140743.tif 000003
【図２】
2014140743.tif 000004
【図３】
2014140743.tif 000005
【外国語明細書】
2014140743000001.pdf
2014140743000002.pdf
2014140743000003.pdf
2014140743000004.pdf